(57)【要約】【課題】パーソナルライフスタイルデバイスを提供する。【解決手段】  パーソナルライフスタイルデバイス（ＰＬＤ）は、通信モジュールと、メモリデバイスと、制御モジュールとを備える。通信モジュールは、ワイヤレスネットワークと通信する。メモリデバイスは、ワイヤレスネットワークおよびライフスタイルサービスプロバイダのうち少なくとも一方とＰＬＤとの間の通信を認証する認証情報と、ＰＬＤを利用して前記ライフスタイルサービスプロバイダに注文するライフスタイルサービスを含むプロフィールとを格納する。制御モジュールは、通信モジュールおよびメモリデバイスと通信して、認証情報に基づいてワイヤレスネットワークおよびライフスタイルサービスプロバイダのうち少なくとも一方とＰＬＤとの間の通信を自動的に確立させて、ライフスタイルサービスプロバイダからライフスタイルサービスの、プロフィールに選択的に基づいている、ユニキャストを自動的に受け取り、ライフスタイルサービスプロバイダにライフスタイルサービスの注文を選択的に送る。【選択図】図１
2009529293.tif 000002
【特許請求の範囲】
【請求項１】
パーソナルライフスタイルデバイス（ＰＬＤ）であって、
ワイヤレスネットワークと通信する通信モジュールと、
前記ワイヤレスネットワークおよびライフスタイルサービスプロバイダのうち少なくとも一方と前記ＰＬＤとの間の通信を認証する認証情報と、前記ＰＬＤを利用して前記ライフスタイルサービスプロバイダに注文するライフスタイルサービスを含むプロフィールとを格納するメモリデバイスと、
前記通信モジュールおよび前記メモリデバイスと通信して、前記認証情報を用いて前記ワイヤレスネットワークおよび前記ライフスタイルサービスプロバイダのうち少なくとも一方と前記ＰＬＤとの間の通信を自動的に確立させて、前記ライフスタイルサービスプロバイダから前記ライフスタイルサービスの、前記プロフィールに選択的に基づいている、ユニキャストを自動的に受け取り、前記ライフスタイルサービスプロバイダに前記ライフスタイルサービスの注文を選択的に送る制御モジュールと
を備えるＰＬＤ。
【請求項２】
前記通信モジュールは、複数のワイヤレスネットワークおよび複数のライフスタイルサービスプロバイダと通信する
請求項１に記載のＰＬＤ。
【請求項３】
前記制御モジュールと通信し、前記ユニキャストを表示する表示モジュール
をさらに備える、請求項１に記載のＰＬＤ。
【請求項４】
スピーカとマイクロフォンとを含み、前記制御モジュールと通信するオーディオモジュールをさらに備え、
前記スピーカは、前記ワイヤレスネットワークおよび前記ライフスタイルサービスプロバイダのうち少なくとも一方から前記ＰＬＤが受け取るデータに基づいて、可聴音波を生成し、
前記マイクロフォンは、受け取る音波に基づいて、前記ワイヤレスネットワークおよび前記ライフスタイルサービスプロバイダのうち少なくとも一方に前記ＰＬＤが送るデータを生成する
請求項１に記載のＰＬＤ。
【請求項５】
前記制御モジュールと通信し、前記ＰＬＤに情報を入力するべく利用されるキーパッドモジュール
をさらに備える、請求項１に記載のＰＬＤ。
【請求項６】
前記制御モジュールと通信し、前記プロフィールに基づいて、ライフスタイルサービスプロバイダが提供するライフスタイルサービスをサーチするサーチエンジン
をさらに備える、請求項１に記載のＰＬＤ。
【請求項７】
前記制御モジュールと通信し、周囲温度、ユーザの体温、前記ユーザの心拍数のうち少なくとも１つを含むデータを感知する感知モジュール
をさらに備える、請求項１に記載のＰＬＤ。
【請求項８】
前記注文は、前記メモリデバイスに格納される前記周囲温度、前記ユーザの体温、前記ユーザの心拍数のうち１つに選択的に基づいている
請求項７に記載のＰＬＤ。
【請求項９】
複数の通信インターフェースを含み、前記制御モジュールと通信し、前記複数の通信インターフェースのうち１つを有する非ワイヤレスデバイスと通信するインターフェースモジュール
をさらに備える、請求項１に記載のＰＬＤ。
【請求項１０】
前記非ワイヤレスデバイスは前記ＰＬＤを介して前記ワイヤレスネットワークと通信する
請求項９に記載のＰＬＤ。
【請求項１１】
前記通信モジュールはワイヤレスネットワークを介してデバイスとピアツーピアで通信する
請求項１に記載のＰＬＤ。
【請求項１２】
前記制御モジュールと通信し、前記ワイヤレスネットワークにオンラインの他の複数のユーザのリストを自動的に表示する表示モジュール
をさらに備える、請求項１に記載のＰＬＤ。
【請求項１３】
前記通信モジュールは、音声およびインスタントメッセージのうち少なくとも一方を用いて前記複数のユーザと通信する
請求項１２に記載のＰＬＤ。
【請求項１４】
前記制御モジュールと通信し、ユーザの生体認証データを格納する生体認証モジュール
をさらに備える、請求項１に記載のＰＬＤ。
【請求項１５】
前記通信モジュールは、前記生体認証データに基づいて、無線識別（ＲＦＩＤ）システムと通信する
請求項１４に記載のＰＬＤ。
【請求項１６】
パーソナルライフスタイルを管理する方法であって、
ワイヤレスネットワークと通信することと、
前記ワイヤレスネットワークおよびライフスタイルサービスプロバイダとの通信を認証する認証情報を格納することと、
前記通信において前記ライフスタイルサービスプロバイダに注文されるライフスタイルサービスを含むプロフィールを格納することと、
前記ワイヤレスネットワークおよび前記ライフスタイルサービスプロバイダのうち少なくとも一方に前記認証情報を自動的に通信することと、
前記ライフスタイルサービスプロバイダから前記ライフスタイルサービスの、前記プロフィールに選択的に基づいている、ユニキャストを自動的に受け取ることと、
前記ライフスタイルサービスプロバイダに前記ライフスタイルサービスの注文を選択的に送ることと
を含む方法。
【請求項１７】
複数のワイヤレスネットワークおよび複数のライフスタイルサービスプロバイダと通信すること
をさらに含む、請求項１６に記載の方法。
【請求項１８】
前記ユニキャストを表示すること
をさらに含む、請求項１６に記載の方法。
【請求項１９】
前記ワイヤレスネットワークおよび前記ライフスタイルサービスプロバイダのうち少なくとも一方から受け取るデータに基づいて、可聴音波を生成することと、
音波に基づいて、前記ワイヤレスネットワークおよび前記ライフスタイルサービスプロバイダのうち少なくとも一方に送るデータを生成することと
をさらに含む、請求項１６に記載の方法。
【請求項２０】
前記プロフィールに基づいて、ライフスタイルサービスプロバイダが提供するライフスタイルサービスをサーチすること
をさらに含む、請求項１６に記載の方法。
【請求項２１】
周囲温度、ユーザの体温、前記ユーザの心拍数のうち少なくとも１つを含むデータを感知すること
をさらに含む、請求項１６に記載の方法。
【請求項２２】
前記注文は、前記メモリデバイスに格納される前記周囲温度、前記ユーザの体温、前記ユーザの心拍数のうち１つに選択的に基づいている
請求項２１に記載の方法。
【請求項２３】
非ワイヤレスデバイスと選択的に通信すること
をさらに含む、請求項１６に記載の方法。
【請求項２４】
ワイヤレスネットワークを介してデバイスとピアツーピアで通信すること
をさらに含む、請求項１６に記載の方法。
【請求項２５】
前記ワイヤレスネットワークにオンラインの複数のユーザのリストを自動的に表示することと、
音声およびインスタントメッセージのうち少なくとも一方を用いて前記複数のユーザと通信することと
をさらに含む、請求項１６に記載の方法。
【請求項２６】
ユーザの生体認証データを格納することと、
前記生体認証データに基づいて、無線識別（ＲＦＩＤ）システムと通信することと
をさらに含む、請求項１６に記載の方法。
【請求項２７】
パーソナルライフスタイルデバイス（ＰＬＤ）であって、
ワイヤレスネットワークと通信する通信手段と、
前記ワイヤレスネットワークおよびライフスタイルサービスプロバイダのうち少なくとも一方と前記ＰＬＤとの間の通信を認証する認証情報と、前記ＰＬＤを利用して前記ライフスタイルサービスプロバイダに注文するライフスタイルサービスを含むプロフィールとを格納するメモリ手段と、
前記通信手段および前記メモリ手段と通信して、前記認証情報に基づいて前記ワイヤレスネットワークおよび前記ライフスタイルサービスプロバイダのうち少なくとも一方と前記ＰＬＤとの間の通信を自動的に確立させて、前記ライフスタイルサービスプロバイダから前記ライフスタイルサービスの、前記プロフィールに選択的に基づいている、ユニキャストを自動的に受け取り、前記ライフスタイルサービスプロバイダに前記ライフスタイルサービスの注文を選択的に送る制御手段と
を備えるＰＬＤ。
【請求項２８】
前記通信手段は、複数のワイヤレスネットワークおよび複数のライフスタイルサービスプロバイダと通信する
請求項２７に記載のＰＬＤ。
【請求項２９】
前記制御手段と通信し、前記ユニキャストを表示する表示手段
をさらに備える、請求項２７に記載のＰＬＤ。
【請求項３０】
スピーカ手段とマイクロフォン手段とを含み、前記制御手段と通信するオーディオ手段をさらに備え、
前記スピーカ手段は、前記ワイヤレスネットワークおよび前記ライフスタイルサービスプロバイダのうち少なくとも一方から前記ＰＬＤが受け取るデータに基づいて、可聴音波を生成し、
前記マイクロフォン手段は、受け取る音波に基づいて、前記ワイヤレスネットワークおよび前記ライフスタイルサービスプロバイダのうち少なくとも一方に前記ＰＬＤが送るデータを生成する
請求項２７に記載のＰＬＤ。
【請求項３１】
前記制御手段と通信し、前記ＰＬＤに情報を入力するキーパッド手段
をさらに備える、請求項２７に記載のＰＬＤ。
【請求項３２】
前記制御手段と通信し、前記プロフィールに基づいて、ライフスタイルサービスプロバイダが提供するライフスタイルサービスをサーチするサーチエンジン手段
をさらに備える、請求項２７に記載のＰＬＤ。
【請求項３３】
前記制御手段と通信し、周囲温度、ユーザの体温、前記ユーザの心拍数のうち少なくとも１つを含むデータを感知する感知手段
をさらに備える、請求項２７に記載のＰＬＤ。
【請求項３４】
前記注文は、前記メモリデバイスに格納される前記周囲温度、前記ユーザの体温、前記ユーザの心拍数のうち１つに選択的に基づいている
請求項３３に記載のＰＬＤ。
【請求項３５】
前記制御手段と通信するインターフェース手段であって、前記インターフェース手段を有する非ワイヤレスデバイスと通信するインターフェース手段
をさらに備える、請求項２７に記載のＰＬＤ。
【請求項３６】
前記非ワイヤレスデバイスは前記ＰＬＤを介して前記ワイヤレスネットワークと通信する
請求項３５に記載のＰＬＤ。
【請求項３７】
前記通信手段はワイヤレスネットワークを介して別のデバイスとピアツーピアで通信する
請求項２７に記載のＰＬＤ。
【請求項３８】
前記制御手段と通信し、前記ワイヤレスネットワークにオンラインの複数のユーザのリストを自動的に表示する表示手段
をさらに備える、請求項２７に記載のＰＬＤ。
【請求項３９】
前記通信手段は、音声およびインスタントメッセージのうち少なくとも一方を用いて前記複数のユーザと通信する
請求項３７に記載のＰＬＤ。
【請求項４０】
前記制御手段と通信し、ユーザの生体認証データを格納する生体認証手段
をさらに備える、請求項２７に記載のＰＬＤ。
【請求項４１】
前記通信手段は、前記生体認証データに基づいて、無線識別（ＲＦＩＤ）システムと通信する
請求項４０に記載のＰＬＤ。
【発明の詳細な説明】
【技術分野】
【０００１】
本発明はワイヤレスネットワークに関する。
【背景技術】
【０００２】
通信技術は消費者のライフスタイルに多大な影響を及ぼしてきた。例えば、人工衛星システムによって携帯電話システムの品質が向上し、使用範囲が拡大した。人工衛星はまた、地上放送に代わるものを実現することによって、テレビ／ラジオ放送に革命をもたらした。マルチメディア技術が進化したことによって、インターネットを介したビデオ会議が可能となり、ビジネスコストを削減するのに成功している。
【０００３】
通信システムは、インタラクティブ型が増えてきている。テレビで見るべく映画をオンデマンドで注文することができる。テレビやインターネットで品物の広告を見ながらその品物を注文することもできる。インターネットで製品を販売するサプライヤーは、消費者の注文を追跡して、消費者に関連商品を宣伝することができる。さらに、消費者は自分の嗜好を特定してサプライヤーから選択的に情報を受信することができる。しかし、その情報を見て利益を享受するためには、消費者はインターネットにログオンする必要がある。
【発明の開示】
【課題を解決するための手段】
【０００４】
パーソナルライフスタイルデバイス（ＰＬＤ）は、ワイヤレスネットワークと通信する通信モジュールと、ワイヤレスネットワークおよびライフスタイルサービスプロバイダのうち少なくとも一方とＰＬＤとの間の通信を認証する認証情報と、ＰＬＤを利用して前記ライフスタイルサービスプロバイダに注文するライフスタイルサービスを含むプロフィールとを格納するメモリデバイスと、通信モジュールおよびメモリデバイスと通信して、認証情報を用いてワイヤレスネットワークおよびライフスタイルサービスプロバイダのうち少なくとも一方とＰＬＤとの間の通信を自動的に確立させて、ライフスタイルサービスプロバイダからライフスタイルサービスの、プロフィールに選択的に基づいている、ユニキャストを自動的に受け取り、ライフスタイルサービスプロバイダにライフスタイルサービスの注文を選択的に送る制御モジュールとを備える。
【０００５】
他の特徴によると、通信モジュールは、複数のワイヤレスネットワークおよび複数のライフスタイルサービスプロバイダと通信する。
【０００６】
他の特徴によると、当該ＰＬＤは、制御モジュールと通信し、ユニキャストを表示する表示モジュールをさらに備える。
【０００７】
他の特徴によると、当該ＰＬＤは、スピーカとマイクロフォンとを含み、前記制御モジュールと通信するオーディオモジュールをさらに備え、スピーカは、ワイヤレスネットワークおよびライフスタイルサービスプロバイダのうち少なくとも一方からＰＬＤが受け取るデータに基づいて、可聴音波を生成し、マイクロフォンは、受け取る音波に基づいて、ワイヤレスネットワークおよびライフスタイルサービスプロバイダのうち少なくとも一方にＰＬＤが送るデータを生成する。
【０００８】
他の特徴によると、当該ＰＬＤは、制御モジュールと通信し、ＰＬＤに情報を入力するべく利用されるキーパッドモジュールをさらに備える。
【０００９】
他の特徴によると、当該ＰＬＤは、制御モジュールと通信し、プロフィールに基づいて、ライフスタイルサービスプロバイダが提供するライフスタイルサービスをサーチするサーチエンジンをさらに備える。
【００１０】
他の特徴によると、当該ＰＬＤは、制御モジュールと通信し、周囲温度、ユーザの体温、ユーザの心拍数のうち少なくとも１つを含むデータを感知する感知モジュールをさらに備える。注文は、メモリデバイスに格納される周囲温度、ユーザの体温、ユーザの心拍数のうち１つに選択的に基づいている。
【００１１】
他の特徴によると、当該ＰＬＤは、複数の通信インターフェースを含み、制御モジュールと通信し、複数の通信インターフェースのうち１つを有する非ワイヤレスデバイスと通信するインターフェースモジュールをさらに備える。非ワイヤレスデバイスはＰＬＤを介してワイヤレスネットワークと通信する。
【００１２】
他の特徴によると、通信モジュールはワイヤレスネットワーク上のデバイスとピアツーピアで通信する。
【００１３】
他の特徴によると、当該ＰＬＤは、制御モジュールと通信し、ワイヤレスネットワークにオンラインの複数の人物のリストを自動的に表示する表示モジュールをさらに備える。
通信モジュールは、音声およびインスタントメッセージのうち一方を用いて複数の人物と通信する。
【００１４】
他の特徴によると、当該ＰＬＤは、制御モジュールと通信し、ユーザの生体認証データを格納する生体認証モジュールをさらに備える。通信モジュールは、生体認証データに基づいて、無線識別（ＲＦＩＤ）システムと通信する。
【００１５】
さらに他の特徴によると、パーソナルライフスタイルを管理する方法は、ワイヤレスネットワークと通信することと、ワイヤレスネットワークおよびライフスタイルサービスプロバイダとの通信を認証する認証情報を格納することと、通信においてライフスタイルサービスプロバイダに注文されるライフスタイルサービスを含むプロフィールを格納することと、ワイヤレスネットワークおよびライフスタイルサービスプロバイダのうち少なくとも一方に認証情報を自動的に通信することと、ライフスタイルサービスプロバイダからライフスタイルサービスの、プロフィールに選択的に基づいている、ユニキャストを自動的に受け取ることと、ライフスタイルサービスプロバイダにライフスタイルサービスの注文を選択的に送ることとを含む。
【００１６】
他の特徴によると、当該方法は、複数のワイヤレスネットワークおよび複数のライフスタイルサービスプロバイダと通信することをさらに含む。
【００１７】
他の特徴によると、当該方法は、ユニキャストを表示することをさらに含む。
【００１８】
他の特徴によると、当該方法は、ワイヤレスネットワークおよびライフスタイルサービスプロバイダのうち少なくとも一方から受け取るデータに基づいて、可聴音波を生成することと、音波に基づいて、ワイヤレスネットワークおよびライフスタイルサービスプロバイダのうち少なくとも一方に送るデータを生成することとをさらに含む。
【００１９】
他の特徴によると、当該方法は、プロフィールに基づいて、ライフスタイルサービスプロバイダが提供するライフスタイルサービスをサーチすることをさらに含む。
【００２０】
他の特徴によると、当該方法は、周囲温度、ユーザの体温、ユーザの心拍数のうち少なくとも１つを含むデータを感知することをさらに含む。注文は、メモリデバイスに格納される周囲温度、ユーザの体温、ユーザの心拍数のうち１つに選択的に基づいている。
【００２１】
他の特徴によると、当該方法は、非ワイヤレスデバイスと通信することをさらに含む。
【００２２】
他の特徴によると、当該方法は、ワイヤレスネットワーク上のデバイスとピアツーピアで通信することをさらに含む。
【００２３】
他の特徴によると、当該方法は、ワイヤレスネットワークにオンラインの複数の人物のリストを自動的に表示することと、音声およびインスタントメッセージのうち一方を用いて複数の人物と通信することとをさらに含む。
【００２４】
他の特徴によると、当該方法は、ユーザの生体認証データを格納することと、生体認証データに基づいて、無線識別（ＲＦＩＤ）システムと通信することとをさらに含む。
【００２５】
さらに他の特徴によると、パーソナルライフスタイルデバイス（ＰＬＤ）は、ワイヤレスネットワークと通信する通信手段と、ワイヤレスネットワークおよびライフスタイルサービスプロバイダのうち少なくとも一方とＰＬＤとの間の通信を認証する認証情報と、ＰＬＤを利用してライフスタイルサービスプロバイダに注文するライフスタイルサービスを含むプロフィールとを格納するメモリ手段と、通信手段およびメモリ手段と通信して、認証情報に基づいてワイヤレスネットワークおよびライフスタイルサービスプロバイダのうち少なくとも一方とＰＬＤとの間の通信を自動的に確立させて、ライフスタイルサービスプロバイダからライフスタイルサービス用の、プロフィールに選択的に基づいている、ユニキャストを自動的に受け取り、ライフスタイルサービスプロバイダにライフスタイルサービスの注文を選択的に送る制御手段とを備える。
【００２６】
他の特徴によると、通信手段は、複数のワイヤレスネットワークおよび複数のライフスタイルサービスプロバイダと通信する。
【００２７】
他の特徴によると、当該ＰＬＤは、制御手段と通信し、ユニキャストを表示する表示手段をさらに備える。
【００２８】
他の特徴によると、当該ＰＬＤは、スピーカ手段とマイクロフォン手段とを含み、制御手段と通信するオーディオ手段をさらに備え、スピーカ手段は、ワイヤレスネットワークおよびライフスタイルサービスプロバイダのうち少なくとも一方からＰＬＤが受け取るデータに基づいて、可聴音波を生成し、マイクロフォン手段は、受け取る音波に基づいて、ワイヤレスネットワークおよびライフスタイルサービスプロバイダのうち少なくとも一方にＰＬＤが送るデータを生成する。
【００２９】
他の特徴によると、当該ＰＬＤは、制御手段と通信し、ＰＬＤに情報を入力するキーパッド手段をさらに備える。
【００３０】
他の特徴によると、当該ＰＬＤは、制御手段と通信し、プロフィールに基づいて、ライフスタイルサービスプロバイダが提供するライフスタイルサービスをサーチするサーチエンジン手段をさらに備える。
【００３１】
他の特徴によると、当該ＰＬＤは、制御手段と通信し、周囲温度、ユーザの体温、前記ユーザの心拍数のうち少なくとも１つを含むデータを感知する感知手段をさらに備える。注文は、メモリデバイスに格納される周囲温度、ユーザの体温、ユーザの心拍数のうち１つに選択的に基づいている。
【００３２】
他の特徴によると、当該ＰＬＤは、制御手段と通信するインターフェース手段であって、インターフェース手段を有する非ワイヤレスデバイスと通信するインターフェース手段をさらに備える。非ワイヤレスデバイスはＰＬＤを介してワイヤレスネットワークと通信する。
【００３３】
他の特徴によると、通信手段はワイヤレスネットワーク上のデバイスとピアツーピアで通信する。
【００３４】
他の特徴によると、当該ＰＬＤは、制御手段と通信し、ワイヤレスネットワークにオンラインの複数の人物のリストを自動的に表示する表示手段をさらに備える。通信手段は、音声およびインスタントメッセージのうち一方を用いて複数の人物と通信する。
【００３５】
他の特徴によると、当該ＰＬＤは、制御手段と通信し、ユーザの生体認証データを格納する生体認証手段をさらに備える。通信手段は、生体認証データに基づいて、無線識別（ＲＦＩＤ）システムと通信する。
【００３６】
さらに他の特徴によると、パーソナルライフスタイルを管理するコンピュータ方法は、ワイヤレスネットワークと通信することと、ワイヤレスネットワークおよびライフスタイルサービスプロバイダとの通信を認証する認証情報を格納することと、通信においてライフスタイルサービスプロバイダに注文されるライフスタイルサービスを含むプロフィールを格納することと、ワイヤレスネットワークおよびライフスタイルサービスプロバイダのうち少なくとも一方に認証情報を自動的に通信することと、ライフスタイルサービスプロバイダからライフスタイルサービスの、プロフィールに選択的に基づいている、ユニキャストを自動的に受け取ることと、ライフスタイルサービスプロバイダにライフスタイルサービスの注文を選択的に送ることとを含む。
【００３７】
他の特徴によると、当該コンピュータ方法は、複数のワイヤレスネットワークおよび複数のライフスタイルサービスプロバイダと通信することをさらに含む。
【００３８】
他の特徴によると、当該コンピュータ方法は、ユニキャストを表示することをさらに含む。
【００３９】
他の特徴によると、当該コンピュータ方法は、ワイヤレスネットワークおよびライフスタイルサービスプロバイダのうち少なくとも一方から受け取るデータに基づいて、可聴音波を生成することと、音波に基づいて、ワイヤレスネットワークおよびライフスタイルサービスプロバイダのうち少なくとも一方に送るデータを生成することとをさらに含む。
【００４０】
他の特徴によると、当該コンピュータ方法は、プロフィールに基づいて、ライフスタイルサービスプロバイダが提供するライフスタイルサービスをサーチすることをさらに含む。
【００４１】
他の特徴によると、当該コンピュータ方法は、周囲温度、ユーザの体温、ユーザの心拍数のうち少なくとも１つを含むデータを感知することをさらに含む。注文は、メモリデバイスに格納される周囲温度、ユーザの体温、ユーザの心拍数のうち１つに選択的に基づいている。
【００４２】
他の特徴によると、当該コンピュータ方法は、非ワイヤレスデバイスと通信することをさらに含む。
【００４３】
他の特徴によると、当該コンピュータ方法は、ワイヤレスネットワーク上のデバイスとピアツーピアで通信することをさらに含む。
【００４４】
他の特徴によると、当該コンピュータ方法は、ワイヤレスネットワークにオンラインの複数の人物のリストを自動的に表示することと、音声およびインスタントメッセージのうち一方を用いて複数の人物と通信することとをさらに含む。
【００４５】
他の特徴によると、当該コンピュータ方法は、ユーザの生体認証データを格納することと、生体認証データに基づいて、無線識別（ＲＦＩＤ）システムと通信することとをさらに含む。
【００４６】
さらに別の特徴によると、上述のシステムおよび方法は１以上のプロセッサが実行するコンピュータプログラムによって実施される。当該コンピュータプログラムは、例を挙げると、以下に限定されないが、メモリ、不揮発性データストレージおよび／またはその他の適切な有形の格納媒体等であるコンピュータ読み出し可能媒体に格納され得る。
【００４７】
本発明は上記以外の分野でも応用することができ、それらの利用可能分野は以下の詳細な説明から明らかになる。詳細な説明および具体例は、本発明の好ましい実施形態を示すものであるが、例示を目的としたものに過ぎず本発明の範囲を限定するものではないと理解されたい。
【図面の簡単な説明】
【００４８】
詳細な説明と添付図面に基づいて本発明を十分に分かりやすく説明する。添付図面は以下の通りである。
【００４９】
【図１】本発明に係るある環境下で動作するパーソナルライフスタイルデバイスを示す機能ブロック図である。
【００５０】
【図２】本発明に係るパーソナルライフスタイルデバイスを示す機能ブロック図の一例である。
【００５１】
【図３】本発明に係るパーソナルライフスタイルデバイスのアーキテクチャを示す機能ブロック図である。
【００５２】
【図４】本発明に係るある環境下においてパーソナルライフスタイルデバイスを動作させる方法の一例を示すフローチャートである。
【００５３】
【図５Ａ】携帯電話を示す機能ブロック図である。
【００５４】
【図５Ｂ】メディアプレーヤを示す機能ブロック図である。
【発明を実施するための最良の形態】
【００５５】
好ましい実施形態を以下で説明するが、以下の説明は、本質的に例示に過ぎず、本発明、その用途または利用を限定するものでは決してない。本発明を明確に説明するべく、類似の構成要素を図中で指定する際には複数の図面にわたって同一の参照番号を使用する。本明細書で使用する場合、モジュール、回路および／またはデバイスという用語は、１以上のソフトウェアまたはファームウェアプログラムを実行する特定用途集積回路（ＡＳＩＣ）、電子回路、プロセッサ（共有、専用または群）およびメモリ、組み合わせ論理回路、および／または本明細書で記載する機能を提供する上記以外に適切な構成要素を指すものとする。本明細書で言及される場合、「Ａ、ＢおよびＣのうち少なくとも１つ」という表現は、論理演算（ＡまたはＢまたはＣ）、非排他的論理ＯＲを意味すると解釈されたい。尚、方法が含むステップは、本発明の原則を変更することなく、別の順序に従って実行され得る。
【００５６】
図１は、環境９０の一例におけるパーソナルライフスタイルデバイス１００を示す。デバイス１００は、１以上のワイヤレスローカルエリアネットワーク１０２−１、・・・、１０２−Ｐ（１０２と総称する）とセキュアに通信し得る。ネットワーク１０２は１以上のネットワークプロバイダが管理するとしてもよい。デバイス１００は、ネットワーク１０２を介して、１以上のライフスタイルサービスプロバイダ１０４−１、・・・１０４−Ｑ（１０４と総称する）と通信し得る。ライフスタイルサービスプロバイダ１０４は、店舗１０６、フランチャイズ１０８、ファーストフード店１１０などの食料／飲料サービス供給者等を含み得る。デバイス１００は、衣料、食料、飲料等のサービスをライフスタイルサービスプロバイダ１０４に注文するべく利用され得る。
【００５７】
逆に、ライフスタイルサービスプロバイダ１０４は、デバイス１００において自身が提供するライフスタイルサービスに関するコンテキスト別情報を宣伝することができる。ライフスタイルサービスプロバイダ１０４は、ユーザの購入パターンなどのユーザの過去の行動のログに基づいて、このような宣伝を行い得る。ユーザの過去の行動のログは、ユーザプロフィールまたはユーザ行動ログとしてデバイス１００に格納されているとしてもよい。
【００５８】
デバイス１００はさらに、株式市場１１２の株価、スポーツイベント１１４のスコアなどのイベントを監視できる。監視対象の株価、スポーツのチーム等もユーザプロフィールおよび／またはユーザログに基づいて決定され得る。デバイス１００は、他にも、ワイヤレス通信機能を持たないデバイス１１６−１、・・・、１１６−Ｒ（１１６と総称）をワイヤレスネットワーク１０２と通信できるように構成するべく利用され得る。つまり、デバイス１００は、ワイヤレスネットワーク１０２とワイヤレスインターフェースを備えていないデバイス１１６との間でブリッジのように利用され得る。
【００５９】
デバイス１００はさらに、家庭用ワイヤレスＬＡＮ（ＷＬＡＮ）１２２−１、・・・、１２２−Ｓ（１２２と総称）に含まれるＴＣＰ／ＩＰ対応デバイスを制御するリモートコントローラとして使用され得る。ＴＣＰ／ＩＰ対応デバイスは、テレビ１２４、ｉＰＯＤ１２６等を含み得る。デバイス１００はさらに、位置に関係なくピアツーピアモードで他のデバイスと直接通信するべく利用され得る。例えば、デバイス１００は音声とインスタントメッセンジャー（ＩＭ）を利用してチャットを行うべく使用され得る。
【００６０】
デバイス１００はさらに、ユーザに関する生体動態を監視するべく利用され得る。このような動態には、体温、心拍数等が含まれ得る。デバイス１００はさらに、ユーザの生体認証データを格納するべく利用され得る。生体認証データは、指紋、目のスキャン等が含まれ得る。生体認証データは識別／認証に用いられ得る。このため、デバイス１００は無線識別（ＲＦＩＤ）アプリケーションにおいてアクティブタグとして利用され得る。想像し得るように、デバイス１００は多くの異なるアプリケーションで利用され得る、多用途で、規模の調整が可能で、且つ多機能なデバイスである。
【００６１】
図２は、ワイヤレスパーソナルライフスタイルデバイス１００のハードウェア構成を示す。デバイス１００は、メモリモジュール１３０、ユーザインターフェースモジュール１４０、ワイヤレスモジュール１５０、ホストインターフェースモジュール１６０および制御モジュール１７０を備える。
【００６２】
メモリモジュール１３０は、ＲＡＭ（ランダムアクセスメモリ）モジュール１３２とＲＯＭ（リードオンリーメモリ）モジュール１３４とを有する。メモリモジュール１３０は揮発性であってもよいし不揮発性であってもよい。メモリモジュール１３０は、集積回路および／または光学もしくは磁気ディスクドライブによって実現され得る。デバイス１００は、メモリモジュール１３０に、ユーザプロフィール、ネットワークアクセス用の事前認証のような情報、ユーザの生体動態等を格納し得る。
【００６３】
ユーザインターフェースモジュール１４０は、デバイス１００の表示モジュール１４４に表示されるスクリーン上のメニューをユーザに検索させ得るキーパッドモジュール１４２を有する。キーパッドモジュール１４２はライフスタイルサービスプロバイダ１０４にライフスタイルサービスを注文するべく利用され得る。表示モジュール１４４は、メニュー選択、ネットワーク１０２の利用可能性、ライフスタイルサービスプロバイダ１０４に関する情報などを表示する、ＬＣＤパネル、プラズマディスプレイ等を含み得る。テキスト、グラフィクス、アイコン等によって表示されるとしてもよい。
【００６４】
ユーザインターフェースモジュール１４０は、オーディオモジュール１４６をさらに有する。オーディオモジュール１４６は、ユーザが聞いたり話したりできるようにスピーカーおよびマイクロフォンを有する。ユーザインターフェースモジュール１４０はさらに、周囲温度およびユーザの生体動態（例えば、体温、心拍数など）を感知するべく利用され得る感知モジュール１４７を有する。ユーザインターフェースモジュール１４０はさらに、身元確認または身元認証のために指紋や目のスキャンなどのユーザの生体認証データを感知して送るべく利用され得る生体認証モジュール１４８を有する。
【００６５】
ユーザインターフェースモジュール１４０により、ユーザはネットワーク１０２上でデバイス１００を利用することができる。例えば、ユーザインターフェースモジュール１４０によって、ユーザはライフスタイルサービスプロバイダ１０４、非ワイヤレスデバイス１１６、家庭用ＷＬＡＮ１２２等と対話することができる。想到し得るように、ユーザインターフェースモジュール１４０にインターフェースを追加で組み込むことも可能である。
【００６６】
ワイヤレスモジュール１５０は、メディアアクセスコントローラ（ＭＡＣ）モジュール１５２、ベースバンドプロセス（ＢＢＰ）モジュール１５４、無線（ＲＦ）トランシーバモジュール１５６、およびＲＦアンテナ１５８を有する。ワイヤレスモジュール１５０によって、デバイス１００はネットワーク１０２と通信できるようになる。ワイヤレスモジュール１５０は１以上のＩＥＥＥ規格に準拠しているとしてもよい。そのようなＩＥＥＥ規格の例を挙げると、８０２．１１、８０２．１１（ａ）、８０２．１１（ｂ）、８０２．１１（ｇ）、８０２．１１（ｈ）、８０２．１１（ｎ）、８０２．１６および８０２．２０規格で、これらの規格は参照によりすべて本願に組み込まれる。
【００６７】
ホストインターフェースモジュール１６０は、イーサネットモジュール１６２、赤外線モジュール１６４、ＵＳＢモジュール１６６、ＲＳ−２３２モジュール１６８等のようなインターフェースモジュールを有する。これらのインターフェースモジュールによって、デバイス１００は、ワイヤレスインターフェース以外のインターフェースを利用する非ワイヤレスデバイス１１６と通信できるようになる。例えば、デバイス１００はＵＳＢモジュール１６６を用いることによってＵＳＢポートを持つレーザープリンタと通信することができる。想到し得るように、ホストインターフェースモジュール１６０には追加でインターフェースを組み込むとしてもよい。
【００６８】
制御モジュール１７０はデバイス１００の動作を制御する。具体的には、制御モジュール１７０は、メモリモジュール１３０と、ユーザインターフェースモジュール１４０と、ワイヤレスモジュール１５０と、ホストインターフェースモジュール１６０との間でのハンドシェイキング（コマンドおよびデータのやり取り）を制御する。制御モジュール１７０はコンピュータプログラム（ソフトウェアおよび／またはファームウェア）を含み、当該コンピュータプログラムによってデバイス１００はライフスタイルサービスプロバイダ１０４と家庭用ＷＬＡＮ１２４等と通信できるようになる。
【００６９】
デバイス１００は、ユーザがワイヤレス「ホットスポット」に入ると、１以上のネットワーク１０２の存在を検出することができる。具体的には、デバイス１００は、１以上のネットワーク１０２に対して選択、参加、および離脱をシームレス且つセキュアに行うことができる。デバイス１００によってユーザは１以上のネットワーク１０２および１以上のライフスタイルサービスプロバイダ１０４にアクセスできるようになる。ユーザは、ネットワーク１０２およびライフスタイルサービスプロバイダ１０４にオンデマンドにアクセスできるとしてもよいし、または選択されたネットワーク１０２および選択されたライフスタイルサービスプロバイダ１０４にアクセスするようデバイス１００を予め設定することもできる。
【００７０】
選択されたネットワーク１０２および選択されたライフスタイルサービスプロバイダ１０４にアクセスするようデバイスを予め設定する場合、選択されたネットワーク１０２および選択されたライフスタイルサービスプロバイダ１０４にアクセスする時にユーザを認証する個人の身元または認証情報はメモリモジュール１３０に格納されている。デバイス１００は、選択されたネットワーク１０２および選択されたライフスタイルサービスプロバイダ１０４を検出すると、選択されたネットワーク１０２および選択されたライフスタイルサービスプロバイダ１０４のリモートホスト／リモートサーバと認証情報を自動的に交換する。
【００７１】
具体的には、ユーザがホットスポットに入ると、デバイス１００は利用可能なネットワーク１０２およびライフスタイルサービスプロバイダ１０４の存在を検出して、表示モジュール１４４上に対応するアイコンを表示することによってそれらの存在を示す。検出したネットワーク１０２および検出したライフスタイルサービスプロバイダ１０４を利用するようにユーザがデバイス１００を予め設定しておいた場合には、デバイス１００は格納された認証情報を用いてネットワーク１０２およびライフスタイルサービスプロバイダ１０４のホスト／サーバに自動的にログインする。ライフスタイルサービスプロバイダ１０４の販売場所でユーザが好んでいるライフスタイルサービスが自動的に表示モジュール１４４に現れる。
【００７２】
例えば、ユーザがファーストフード店１１０に入ると、その店でユーザが過去に注文した内容に基づいてユーザの好物の食事が表示モジュール１４４に現れる。ユーザは単に、キーパッドモジュール１４２を用いて表示モジュール１４４のメニューから「はい」を選択するだけですむとしてもよい。ユーザが「はい」を選択すると、デバイス１００はライフスタイルサービスの注文を送信し、その注文は販売場所で受け取られるのを待つばかりとなる。ユーザは、デバイス１００において、１以上のライフスタイルサービスプロバイダ１０４が提供する１以上のライフスタイルサービスを予め設定しておくことができる。例えば、ユーザは、コーヒーショップでの好みの飲料、本屋での好みの本のカテゴリー、好みの種類の衣料などを予め設定しておくことができる。
【００７３】
さらに、感知モジュール１４７が感知する周囲温度およびユーザの体温に応じて、デバイス１００は、ユーザが好む温かいまたは冷たい食事／飲料を表示モジュール１４４に表示できる。同様に、デバイス１００は、ユーザが衣料店１０６のホットスポットに入る場合には、周囲温度に適し得る好みの衣料を表示モジュール１４４に表示することができる。
【００７４】
デバイス１００は、購入パターンなどのユーザの行動を、追跡、格納およびキャッシュすることができる。行動データは、メモリモジュール１３０にユーザプロフィールとして格納される。ライフスタイルサービスプロバイダ１０４は、ユーザがライフスタイルサービスプロバイダ１０４のホットスポットに入ると、ユーザプロフィールに基づき、コンテキスト依存情報およびコンテキスト別情報をユーザに選択的に提供できる。
【００７５】
例えば、ユーザが衣料店１０６のホットスポットに入ると、衣料店１０６はその店１０６の衣料品でユーザが好むものの広告を表示モジュール１４４に即座に表示することができる。この広告は、音声および／または映像を流すことを含み得る。その衣料品は別の店１０６でユーザが好むものに類似しているとしてもよい。デバイス１００のこの特徴は地理的にトランスペアレントである。つまり、この特徴は、ライフスタイルサービスプロバイダ１０４の位置には関係ない。ユーザの購入パターンを追跡して、ユーザの購入パターンに基づいて広告を表示することによって、ライフスタイルサービスプロバイダ１０４の売上を増やすことができる。また、このような特徴によって、ユーザにとって買い物が便利で効率の良いものになり得る。
【００７６】
デバイス１００は、モジュール１４４を用いて情報を表示することに代えて、またはモジュール１４４を用いて情報を表示することに加えて、オーディオモジュール１４６を用いてネットワーク１０２および／またはライフスタイルサービスプロバイダ１０４から受け取った情報をユーザに伝えることができる。例えば、ユーザがファーストフード店１１０に入ると、その店でユーザが過去に注文した内容に基づいてユーザの好みの食事が、表示モジュール１４４に表示されることに代えて、または表示モジュール１４４に表示されることに加えて、オーディオモジュール１４６によってアナウンスされるとしてもよい。
【００７７】
ユーザはさらに、オーディオモジュール１４６を利用して、ボイスコマンドでデバイス１００に情報を入力することができる。例えば、ユーザは、キーパッドモジュール１４２を用いて表示モジュール１４４のメニューから「はい」を選択する代わりに、ライフスタイルサービスプロバイダ１０４から受け取ったライフスタイルサービスのボイスプロンプトに応じて「はい」と言うだけですむとしてもよい。ユーザが「はい」と言うと、デバイス１００はライフスタイルサービスの注文を送信して、当該注文は販売箇所で受け取られるのを待つばかりとなる。
【００７８】
デバイス１００はサーチエンジンソフトウェアを含む。サーチエンジンは、キャッシュされているプロフィールに基づいてメタキーを利用する。サーチエンジンは、ユーザが好む選択によく一致している、食事または飲料などのライフスタイルサービスを特定するべく利用され得る。サーチに用いられるコンテキストは、ネットワークの種類（例えば、ネットワーク１０２のうちの１つ）、ライフスタイルサービスプロバイダ１０４、およびライフスタイルサービスプロバイダ１０４が提供するライフスタイルサービス（例えば、食事または飲料の種類）に関するユーザの過去の好みであってよい。
【００７９】
デバイス１００のコンテキスト依存サーチ機能は、ユーザが外国を旅行している場合に非常に役に立つ。例えば、ユーザは、母国では入手可能だが外国では入手不可能である好みのライフスタイルサービスを所望することがある。サーチエンジンは、ユーザが好む選択によく一致するライフスタイルサービスを提供するライフスタイルサービスプロバイダをその旅行先で見つけるべく利用し得る。
【００８０】
デバイス１００はさらに、イベントを監視／追跡するべく用いられ得る。イベントに関する情報は表示モジュール１４４で流すことができる。例えば、ユーザは、興味を持っている株、インターネットオークション、スポーツ選手、スポーツチーム等の動向を監視するようにデバイス１００を予め設定することができる。デバイス１００は、表示モジュール１４４に、株価、オークション価格、スポーツ選手および／またはスポーツチームの成績等を表示することができる。ユーザは、表示モジュール１４４が所望の価格を示せば、キーパッドモジュール１４２を用いて株を取引することができ、オークションで品物を取引することができる。
【００８１】
デバイス１００は、ワイヤレス通信機能を持たないデバイス１１６をワイヤレスネットワーク１０２と通信できるデバイスに変換するべく利用され得る。デバイス１００はホストインターフェースモジュール１６０のインターフェースを利用してデバイス１１６と通信しており、デバイス１１６は逆にデバイス１００のワイヤレスインターフェースを利用してネットワーク１０２と通信している。例えば、デバイス１００はＵＳＢモジュール１６６を利用することでＵＳＢインターフェースを持つカメラ１１８と通信することができ、カメラ１１８はデバイス１００のワイヤレス通信モジュール１５０を利用することでネットワーク１０２と通信することができる。
【００８２】
同様に、イーサネットモジュール１６２を用いることで、デバイス１００を、スタンドアローンなＰＣ１２０または有線ＬＡＮの一部であるＰＣのイーサネットポートに接続することができる。デバイス１００のワイヤレス通信モジュール１５０によって、ＰＣ１２０はネットワーク１２０と通信することができるようになる。メモリモジュール１３０に格納される認証情報によって、ＰＣ１２０のユーザの身元が自動的に確認され、ＰＣ１２０はネットワーク１０２と通信することができるようになる。このように、デバイス１００は、デバイス１１６とネットワーク１０２との間でデータ転送を行うべく利用され得る。
【００８３】
デバイス１００の身元確認機能は、ほかの多くのアプリケーションで役立つ。例えば、デバイス１００が写真店に接続されると、写真店ではデバイス１００に格納されている認証情報に基づきユーザの身元を自動的に認識しユーザの好みの写真を取り出す。
【００８４】
デバイス１００はさらに、様々なＲＦＩＤアプリケーションにおいてアクティブタグとして利用され得る。例えば、ユーザはセキュリティチェックポイントを単に歩いて通り過ぎるだけでよい。セキュリティチェックポイントでは、デバイス１００がセキュリティ会社のホスト／サーバにユーザの生体認証データを自動的に送信する。ホスト／サーバが生体認証データを検証してユーザのアクセスを許可または拒否するとしてもよい。同様に、デバイス１００は、ユーザが商品を購入して店を出るときに自動的にクレジットカードで支払いをするように利用され得る。
【００８５】
ユーザはさらに、デバイス１００を用いてネットワーク１０２上の他のユーザとチャットすることができる。デバイス１００は、「友達リスト」つまりネットワーク１０２にオンライン中のユーザのリストを自動的に検出して表示することができる。ユーザはキーパッドモジュール１４２を用いてリストから相手を選び、選んだ相手とチャットすることができる。チャットはオーディオモジュール１４６を用いて音声で行うことができる。それに代えて、チャットはインスタントメッセンジャー（ＩＭ）を利用して行うタイプのものであってもよい。
【００８６】
図３は、制御モジュール１７０が利用するコンピュータプログラム（ソフトウェアおよび／またはファームウェア）のアーキテクチャの概略２００を示す。該コンピュータプログラムは、制御モジュール１７０に格納されているとしてもよいし、および／またはメモリモジュール１３０に格納されているとしてもよい。制御モジュール１７０は該コンピュータプログラムを実行するプロセッサ１７１を含む。
【００８７】
該コンピュータプログラムは、制御プログラム１７２、ネットワークプログラム１７３、サーチエンジン１７４および１以上のクライアントサービス１７８を含む。プロセッサ１７１は、制御プログラム１７２を実行してデバイス１００の動作を制御する。具体的には、制御プログラム１７２は、メモリモジュール１３０と、ユーザインターフェースモジュール１４０と、ワイヤレスモジュール１５０と、ホストインターフェースモジュール１６０との間でのハンドシェイキング、つまりコマンドおよびデータのやり取りを管理する。制御プログラム１７２はデバイス１００が送受信する情報を処理する。
【００８８】
ネットワークプログラム１７３によって、デバイス１００はライフスタイルサービスプロバイダ１０４、家庭用ＷＬＡＮ１２２等と通信することができるようになる。ネットワークプログラム１７３は、デバイス１００のハードウェア層（モジュール１３０、１４０、１５０、１６０および１７０）をトランスポート層（第２層）へとインターフェースするメディアアクセス制御（ＭＡＣ）層１８０を含む。ネットワークプログラム１７３のトランスポート層は、ＴＣＰ／ＩＰ１８２ならびにＵＤＰ（ユーザデータグラムプロトコル）およびＲＴＰ（リアルタイムプロトコル）１８４等を含む。
【００８９】
ネットワークプログラム１７３のアプリケーション層はサプリカント１８６を含む。サプリカント１８６は、ネットワーク１０２およびライフスタイルサービスプロバイダ１０４のリモートホスト／サーバ２１０のＬＡＮサービスへのアクセスを要求する。サプリカント１８６はさらに、ネットワーク１０２およびライフスタイルサービスプロバイダ１０４のリモートホスト／サーバ２１０からの要求に応答する。
【００９０】
クライアントサービス１７４は、ネットワーク１０２およびライフスタイルサービスプロバイダ１０４のプロバイダによって提供される。クライアントサービス１７４によって、デバイス１００はネットワーク１０２およびライフスタイルサービスプロバイダ１０４のリモートホスト／サーバ２１０と通信できるようになる。
【００９１】
リモートホスト／サーバ２１０は、デバイス１００が送信するデータを受信すると共にデバイス１００にデータを送信するコンピュータプログラムを含む。具体的には、リモートホスト／サーバ２１０で実行されるコンピュータプログラムは、デバイス１００のユーザの認証情報を検証するなどのタスクを実行したり、ユーザが発行した注文を処理したり、ユーザに広告を送る等の動作を行う。
【００９２】
サーチエンジン１７６は、外国でライフスタイルサービスを見つけるなどのコンテキスト別サーチをオンデマンドで実行する。サーチエンジン１７６は、メモリモジュール１３０に格納されるユーザプロフィールまたはユーザログを用いてサーチを実行する。
【００９３】
図４は、ある環境下においてパーソナルライフスタイルデバイス１００を操作する方法３００の一例を示す図である。この方法３００はステップ３０２から開始される。ステップ３０４において、デバイス１００は、ネットワークを感知するかどうかを判断する。感知しない場合、方法３００はステップ３０２に戻る。ネットワークを感知すると、ステップ３０５において、デバイス１００は、ユーザ（デバイス１００の所有者）がネットワークに申し込んでいるかどうかを判断する。申し込んでいない場合、方法３００はステップ３０２に戻る。申し込んでいる場合、ステップ３０６において、デバイス１００は自動的にユーザのログイン情報をネットワークのリモートホスト２１０に送信する。リモートホスト２１０はログイン情報を検証してログインが成功したかどうかを示すメッセージをデバイス１００に送信する。このメッセージに基づいて、ステップ３０８で、デバイス１００は、ログインが成功したかどうかを判断する。ログインが失敗の場合、方法はステップ３０２に戻る。
【００９４】
ログインが成功した場合、ステップ３１０において、デバイス１００は、ＷＬＡＮ（ワイヤレスローカルエリアネットワーク）１０２のリモートホスト２１０にログインしたか、ライフスタイルサービスプロバイダ１０４のリモートホスト２１０にログインしたかを判断する。ＷＬＡＮ１０２にログインした場合、ステップ３１２において、ユーザはＷＬＡＮ１０２にアクセスしてインターネットのような分散通信システムに関連付けられる機能を実行することができる。例えば、ユーザは、インスタントメッセージの送信、電子メールへのアクセス、株取引、ライフスタイルサービスプロバイダの検索、および／または他の動作を実行することができる。ステップ３１６において、ユーザは、ＷＬＡＮ１０２でさらに動作を実行するかどうかを判断する。さらに動作を実行する場合、ステップ３１２を繰り返す。これ以上動作を実行しない場合、方法３００はステップ３０２に戻る。
【００９５】
一方、ライフスタイルサービスプロバイダ１０４のリモートホスト２１０にデバイス１００のユーザがログインしている場合、ステップ３１８において、デバイス１００はリモートホスト２１０から、ユーザプロフィールの送信要求を自動的に受け取る。ステップ３２０において、デバイス１００はユーザプロフィールを送信することで自動的に要求に応答する。ステップ３２２において、デバイス１００は、ライフスタイルサービスプロバイダ１０４が提供するライフスタイルサービスについてリモートホスト２１０から提案を自動的に受け取る。
【００９６】
ステップ３２４において、ユーザは、提案が広告であるか好みのサービスを購入するためのプロンプトであるかを判断する。提案が広告である場合、ユーザは提案を読むとしてもよいし、および／または、提案を無視してもよい。そして方法はステップ３０２に戻る。提案が好みのサービスに関するプロンプトである場合、ステップ３２６において、ユーザはサービスを購入するかどうか決めるとしてもよい。
【００９７】
提案されたサービスを購入しないとユーザが決めた場合、方法はステップ３０２に戻る。ユーザがサービスを注文する場合、ステップ３２６において、デバイス１００はリモートホスト２１０に注文を送信する。リモートホストは、事前に認可されたユーザの銀行口座から適切な金額の転送を試みることによって、注文を処理する。リモートホスト２１０は、注文の処理が成功したかどうかを示すメッセージをデバイス１００に送信する。リモートホスト２１０はさらに、注文の処理が成功した場合には、デバイス１００が位置している販売場所で注文を発行する。デバイス１００で受信したメッセージを参照して、ステップ３２８で、ユーザは注文した内容が準備できたかどうかを判断する。準備できていない場合、方法はステップ３０２に戻る。準備できている場合、ステップ３３０において、ユーザは注文内容を受け取り、方法はステップ３０２に戻る。
【００９８】
図５Ａ乃至図５Ｂは本発明の様々な実施例を示す。図５Ａを参照すると、本発明は携帯電話用アンテナ４５１を含み得る携帯電話４５０において実現され得る。本発明は、図５Ａでは一般的に４５２と示す信号処理回路および／または制御回路、ＷＬＡＮインターフェース、携帯電話４５０の大容量データストレージ、および／または電源４５３において実現されるとしてもよい。実施形態によっては、携帯電話４５０は、マイクロフォン４５６、スピーカおよび／または音声出力ジャックなどの音声出力４５８、ディスプレイ４６０、および／または、キーパッド、ポインティングデバイス、音声起動デバイスおよび／またはそれ以外の入力デバイスである入力デバイス４６２を備える。携帯電話４５０の信号処理回路および／または制御回路４５２および／またはその他の回路（不図示）は、データを処理し、符号化および／または暗号化を行って、演算を実施し、データをフォーマットし、および／または、その他の携帯電話機能を実施するとしてもよい。
【００９９】
携帯電話４５０は、光学ストレージデバイスおよび／または磁気ストレージデバイス（例えば、ハードディスクドライブ（ＨＤＤ）および／またはＤＶＤ））などの、不揮発にデータを格納する大容量データストレージ４６４と通信し得る。ＨＤＤは、直径が約１．８´´未満のプラッタを１以上含むミニＨＤＤであってもよい。携帯電話４５０は、ＲＡＭ、ＲＯＭ、フラッシュメモリなどの低レイテンシ不揮発性メモリおよび／またはそれ以外の適切な電子データストレージなどであるメモリ４６６に接続され得る。携帯電話４５０はまた、ＷＬＡＮネットワークインターフェース４６８を介したＷＬＡＮとの接続をサポートし得る。
【０１００】
図５Ｂを参照すると、本発明はメディアプレーヤ５００において実現され得る。本発明は、図５Ｂでは一般的に５０４で示される信号処理回路および／または制御回路、ＷＬＡＮインターフェース、メディアプレーヤ５００の大容量データストレージ、および／または電源５０３において実現されるとしてもよい。実施形態によっては、メディアプレーヤ５００は、ディスプレイ５０７および／またはキーパッド、タッチパッド等のユーザ入力５０８を有する。実施形態によっては、メディアプレーヤ５００は、ディスプレイ５０７および／またはユーザ入力５０８を介して、メニュー、ドロップダウンメニュー、アイコンおよび／またはポイントアンドクリックインターフェースを通常使用するグラフィカルユーザインターフェース（ＧＵＩ）を利用し得る。メディアプレーヤ５００はさらに、スピーカおよび／または音声出力ジャックなどの音声出力５０９を有する。メディアプレーヤ５００の信号処理および／または制御回路５０４および／またはその他の回路（不図示）は、データを処理し、符号化および／または暗号化を行って、演算を実施し、データをフォーマットし、および／または、その他のメディアプレーヤ機能を実施するとしてもよい。
【０１０１】
メディアプレーヤ５００は、圧縮オーディオおよび／またはビデオコンテンツなどのデータを不揮発に格納する大容量データストレージ５１０と通信し得る。実施例によっては、圧縮オーディオファイルは、ＭＰ３フォーマットまたはそれ以外の適切な圧縮オーディオおよび／またはビデオフォーマットに準拠したファイルを含む。大容量データストレージは、光学ストレージデバイスおよび／または磁気ストレージデバイス（例えば、ハードディスクドライブ（ＨＤＤ）および／またはＤＶＤ））を含み得る。ＨＤＤは、直径が約１．８´´未満のプラッタを１以上含むミニＨＤＤであってもよい。メディアプレーヤ５００は、ＲＡＭ、ＲＯＭ、フラッシュメモリなどの低レイテンシ不揮発性メモリおよび／またはそれ以外の適切な電子データストレージなどであるメモリ５１４に接続され得る。メディアプレーヤ５００はまた、ＷＬＡＮネットワークインターフェース５１６を介したＷＬＡＮとの接続をサポートし得る。上記以外の実施例も検討中である。
【０１０２】
当業者であれば、以上の説明に基づき、本発明の広義の教示が様々な形態によって実施し得ることに想到し得る。このため、本発明は具体的な例を挙げて説明してきたが、本願の添付図面、明細書および請求項から当業者にはほかの変形が明らかであるので、本発明の真の範囲はそれらの具体例に限定されるべきではない。
【図１】
2009529293.tif 000003
【図２】
2009529293.tif 000004
【図３】
2009529293.tif 000005
【図４】
2009529293.tif 000006
【図５Ａ】
2009529293.tif 000007
【図５Ｂ】
2009529293.tif 000008
【国際調査報告】
2009529293.tif 000009
2009529293.tif 000010
2009529293.tif 000011